【手続補正書】
【提出日】平成24年5月10日(2012.5.10)
【手続補正１】
【補正対象書類名】特許請求の範囲
【補正対象項目名】全文
【補正方法】変更
【補正の内容】
【特許請求の範囲】
【請求項１】
板ガラスを曲げるための重力曲げモールドであって、最終周縁成形リムを有する最終モールドと、中間周縁成形リムを有する中間モールドとを備え、
前記最終モールドは前記重力曲げモールドの端部に取り付けられた最終可動モールド部を備え、該最終可動モールド部は成形上面を有し、
前記中間モールドは、前記重力曲げモールドの端部に、前記最終可動モールド部に隣接して取り付けられた中間可動モールド部を備え、該中間可動モールド部は成形上面を有し、
前記重力曲げモールドは、第１配置と第２配置との間で可動であり、
前記第１配置において、前記中間モールドは閉じており、前記中間可動モールド部の成形上面は前記最終可動モールド部の成形上面よりも高く、
前記第２配置において、前記最終モールドは閉じており、前記中間可動モールド部の成形上面は前記最終可動モールド部の成形上面よりも低く、
前記中間モールド及び前記最終モールドのうち一方が他方に対して垂直方向に移動し、同時に、前記中間モールド及び前記最終モールドのうち少なくとも一方が機械的連結に対して移動したときに、前記重力曲げモールドが前記第１配置及び前記第２配置間を移行するように、前記最終可動モールド部が前記機械的連結を介して前記中間モールドに接続されていることを特徴とする重力曲げモールド。
【請求項２】
前記最終モールド及び前記中間モールドに共通の固定モールド部を備え、該固定モールド部は成形上面を有し、該成形上面が前記中間周縁成形リムの一部及び前記最終周縁成形リムの一部を形成することを特徴とする請求項１に記載の重力曲げモールド。
【請求項３】
前記固定モールド部が第１支持フレーム上に取り付けられており、該第１支持フレームがモールド支持フレーム上に取りつけられており、前記モールド支持フレームに対して垂直方向に前記第１支持フレームを移動させることによって、前記中間モールド及び前記最終モールドのうち一方が他方に対して垂直方向に移動可能であることを特徴とする請求項２に記載の重力曲げモールド。
【請求項４】
前記最終可動モールド部が前記固定モールド部に機械的に連結されていることを特徴とする請求項２又は３に記載の重力曲げモールド。
【請求項５】
中間周縁成形リムの一部を形成する成形上面を有する中間固定モールド部と、最終周縁成形リムの一部を形成する成形上面を有する最終固定モールド部とを備え、
前記中間固定モールド部は前記最終固定モールド部に対して可動であり、
前記重力曲げモールドが第１配置であるとき、前記中間固定モールド部の成形上面が前記最終固定モールド部の成形上面よりも高く、
前記重力曲げモールドが第２配置であるとき、前記中間固定モールド部の成形上面が前記最終固定モールド部の成形上面よりも低いことを特徴とする請求項１に記載の重力曲げモールド。
【請求項６】
前記中間固定モールド部が第１支持フレーム上に取り付けられており、
前記最終固定モールド部が第２支持フレーム上に取り付けられており、
脱着可能な下降機構が第１支持フレーム及び第２支持フレームを相互に連結しており、
該下降機構は、選択的且つ一時的に、前記最終モールドに対して初期の上昇位置に前記中間モールドを配置し、前記下降機構が脱離すると、前記中間モールドと前記最終モールドとの間に相対垂直移動を引き起こすように、構成されていることを特徴とする請求項５に記載の重力曲げモールド。
【請求項７】
前記最終モールドが、重力曲げモールドの他端に取り付けられた第２の最終可動モールド部を備え、該２の最終可動モールド部は成形上面を有し、
前記中間モールドが、前記第２最終可動モールド部に隣接して取り付けられ、成形上面を有する第２可動モールド部を備え、
前記第１配置において、前記第２中間可動モールド部の成形上面が、前記第２最終可動モールド部の成形上面よりも高く、
前記第１配置から前記第２配置に移行したときに、第２最終可動モールド部が閉じた位置に移動するように、前記第２最終可動モールド部が第２の機械的連結を介して前記中間モールドに接続されていることを特徴とする請求項１に記載の重力曲げモールド。
【請求項８】
前記最終可動モールド部が閉じた位置に移動するのと同時に、前記第２最終可動モールド部が閉じた位置に移動することを特徴とする請求項７に記載の重力曲げモールド。
【請求項９】
前記請求項のいずれか一項に記載の重力曲げモールドと、前記重力曲げモールドに対して垂直に移動するように配置されたダイ機構とを備え、
前記ダイ機構は、前記最終周縁成形リム上に支持されたガラス板の上面を成形する雄型ダイを備えることを特徴とするガラス板曲げ装置。
【請求項１０】
請求項１から８のいずれかに記載の複数の重力曲げモールドと、加熱炉と、前記加熱炉を通じて複数の重力曲げモールドを連続的に搬送する搬送システムを備え、
前記加熱炉が、該加熱炉の内部又は外部であって、前記加熱炉の長さ方向に沿った所定位置に配置された作動装置機構を含み、
それぞれの重力曲げモールドが前記作動装置機構を通過して搬送されるときに、前記作動装置機構が前記モールドを第１配置から第２配置まで移行させるように構成されていることを特徴とするガラス板曲げ装置。
【請求項１１】
（ａ）最終周縁成形リムを有する最終モールドと、中間周縁成形リムを有する中間モールドとを備える重力曲げモールドであって、前記最終モールドは前記重力曲げモールドの端部に取り付けられた最終可動モールド部を備え、該最終可動モールド部は成形上面を有し、前記中間モールドは前記重力曲げモールドの端部に前記最終可動モールド部に隣接して取り付けられた中間可動モールド部を備え、該中間可動モールド部は成形上面を有し、前記最終可動モールド部は機械的連結を介して前記中間モールドに接続されている、重力曲げモールドを準備する工程と、
（ｂ）前記最終モールドに対して上昇した位置に中間モールドを配置する工程と、
（ｃ）ガラス平板を、略水平な開放位置にある前記中間可動モールド部を有する前記中間モールド上に設置し、前記中間モールドが開放位置にあるとき、中間可動モールド部の少なくとも１つの部分によって前記ガラス平板が支持されている工程と、
（ｄ）前記ガラス板を加熱して、前記ガラス板を重力曲げするための軟化を引き起こすことにより、加熱炉内のガラス平板を重力曲げする工程と、
を備え、
前記重力曲げ工程は、２つの段階を有し、
（ｉ）第１段階では、曲がったガラス板が前記中間周縁成形リム上に支持されるように、前記中間モールドによって前記ガラス平板が中間曲げ形状まで曲げられ、
（ｉｉ）第２段階では、第１段階の後に、前記最終可動モールド部が中間可動モールド部に対して上昇位置に配置され、前記最終モールドを閉じることにより、前記ガラス板が前記中間曲げ形状から前記最終曲げ形状まで曲げられて、前記曲げられたガラス板が前記最終周縁成形リム上に支持され、
前記第１段階から前記第２段階への移行において、前記中間モールド及び前記最終モールドのうち一方が他方に対して移動し、同時に、前記中間モールド及び前記最終モールドのうち少なくとも一方が前記機械的連結に対して移動し、前記最終可動モールド部が、前記中間可動モールド部に相対して上方に移動して、前記中間可動モールド部と置き換わることを特徴とするガラス板重力曲げ方法。
【請求項１２】
前記中間モールドは第１支持フレーム上に取り付けられ、該第１支持フレームはモールド支持フレーム上に取り付けられ、第１段階から第２段階への移行において、前記モールド支持フレームに相対して前記第１支持フレームを移動させることにより、前記中間モールドが移動することを特徴とする請求項１１に記載のガラス板重力曲げ方法。
【請求項１３】
請求項１１又は１２に記載の重力曲げ方法と、
前記ガラス板が前記中間周縁成形リム及び／又は前記最終周縁成形リムの上に支持されるとき、付与力の作用の下で、前記ガラス板を成形するダイ曲げ支援工程と
を備えることを特徴とするガラス板曲げ方法。